(57)【要約】      （修正有）【課題】基板の限られた範囲内に好適な形態で、且つ、多くのＬＥＤ素子を高い密度で配置する照明装置用光源基板を提供する。【解決手段】光源基板Ａは、基板の中心ＣにグランドＧが設定され、グランドから基板の外周に向かって延設されていると共に、周方向に沿って隣り合うように配置された複数本の配線部２を有し、配線部に複数のＬＥＤ素子３Ａ〜３Ｄが配置されている。【選択図】図１
2020009539.tif 000002
【特許請求の範囲】
【請求項１】
基板の中心にグランドが設定され、前記グランドから前記基板の外周に向かって延設されていると共に、周方向に沿って隣り合うように配置された複数本の配線部を有し、前記配線部に複数のＬＥＤ素子が配置された照明装置用光源基板。
【請求項２】
複数本の前記配線部が、全て同じ形状に形成されている請求項１に記載の照明装置用光源基板。
【請求項３】
複数本の前記配線部が、前記グランド側の端部から前記基板の外周側の端部にわたる範囲の全域又は一部が曲げ形成されている請求項１又は２に記載の照明装置用光源基板。
【請求項４】
複数本の前記配線部が、前記基板の中心を軸とする回転対称形として配置されている請求項１乃至３いずれか１項に記載の照明装置用光源基板。
【発明の詳細な説明】
【技術分野】
【０００１】
本発明は、光源として発光ダイオード素子を用いた照明装置用の光源基板に関する。
【背景技術】
【０００２】
発光ダイオード素子（以下「ＬＥＤ素子」という）を光源とする照明装置は、劇場の舞台、テレビスタジオ、競技場等での演出照明や各種ディスプレイの照明、室内のダウンライト等に広く用いられている。
【０００３】
これらの照明装置は、特許文献１〜４に記載されているように、照度ムラや発色ムラを抑制し、高品質な照明光を実現するために、各色のＬＥＤ素子の配置構成についての工夫がされている。
【先行技術文献】
【特許文献】
【０００４】
【特許文献１】特開２０１５−９２４９０公報
【特許文献２】特開２０１７−２０８１５８公報
【特許文献３】特開２０１５−１５１０６公報
【特許文献４】特開２０１４−５３５１５２公報
【発明の概要】
【発明が解決しようとする課題】
【０００５】
特許文献１〜４に記載の照明装置では、基板上に各色(Ｒ、Ｇ、Ｂ、Ｗ等)のＬＥＤ素子を複数有し、このＬＥＤ素子を縦横整列状、格子状、ちどり状、同心円状、放射状、等に配置した構成が開示され、このような配置構成によって、照度ムラや発色ムラを抑制して高品質な照明光を実現している。
【０００６】
しかしながら、ＬＥＤ素子の配置構成では、照度ムラや発色ムラを抑制して高品質な照明光を実現できる一方、色違い、且つ多くのＬＥＤ素子を高い密度で接続する配線が煩雑、或いは複雑になってしまい、基板の限られた範囲内に好適な形態で、且つ多くのＬＥＤ素子を高い密度で配置することが難しいという問題があった。
【課題を解決するための手段】
【０００７】
前述の課題を解決するために、本発明は、下記の手段を採用した。
【０００８】
基板の中心にグランドが設定され、前記グランドから前記基板の外周に向かって延設されていると共に、周方向に沿って隣り合うように配置された複数本の配線部を有し、前記配線部に複数のＬＥＤ素子が配置された照明装置用光源基板にしたことである。
【０００９】
複数の前記配線部が、全て同じ形状に形成されていることが好ましい。
【００１０】
複数本の前記配線部が、前記グランド側の端部から前記基板の外周側の端部にわたる範囲の全域又は一部が曲げ形成されていることが好ましい。
【００１１】
複数本の前記配線部が、前記基板の中心を軸とする回転対称形として配置されていることが好ましい。
【図面の簡単な説明】
【００１２】
【図１】本発明に係る一実施形態の光源基板の概略平面図である。
【図２】(ａ)〜(ｃ)は、本発明に係る他の例の光源基板における配線形態を示す概略平面図である。
【発明を実施するための形態】
【００１３】
以下、本発明に係る一実施形態の照明装置用光源基板(以下「光源基板」という)Ａを図１に基づいて説明する。
【００１４】
光源基板Ａが装着される照明装置(図示せず)は、劇場の舞台、テレビスタジオ、競技場等での演出照明で使用されるスポットライト、各種ディスプレイの照明、室内のダウンライト等が例示できる。
【００１５】
光源基板Ａは、円盤状の基板１と、基板１の中心Ｃに設定されたグランドＧと、基板１上に配置された複数の配線部２と、配線部２上に配置された複数のＬＥＤ素子３Ａ〜３Ｄとを備えている。
【００１６】
複数の配線部２は、全て同じ形状として、グランドＧから基板１の外周１０に向かって渦巻腕状に形成されていると共に、一端部２０をグランドＧに接続し、他端部２１を基板１の外周１０付近に位置させて、基板１の中心Ｃを軸とする回転対称形として配置されている。
【００１７】
基板１の外周１０側に位置する配線部２の端部(他端部)２１の夫々には、電源(図示せず)のプラス側から配線された電気配線Ｌが接続されており、この電気配線Ｌからの電流が配線部２に通電されることで、ＬＥＤ素子３Ａ〜３Ｄが発光するようになっている。
【００１８】
ＬＥＤ素子３Ａ〜３Ｄは、夫々色が異なるＬＥＤ素子３Ａ(Ｒ)、ＬＥＤ素子３Ｂ(Ｇ)、ＬＥＤ素子３Ｃ(Ｂ) 、ＬＥＤ素子３Ｄ(Ｗ)が用いられている。
【００１９】
ＬＥＤ素子３Ａ〜３Ｄは、配線部２の一本に同じ色のＬＥＤ素子３Ａ〜３Ｄが複数配置されており、周方向に沿って順に(Ｒ)、(Ｇ)、(Ｂ) 、(Ｗ)となるように並べると共に、(Ｒ)、(Ｇ)、(Ｂ) 、(Ｗ)を一つの単位Ｓとして、周方向に沿って複数の単位(図示では４単位)Ｓが繰り返されるように配置されている。
【００２０】
隣り合う配線部２の間隔は、ＬＥＤ素子３Ａ〜３Ｄが隣り合う配線部２に接触しない間隔まで狭めることができる。
【００２１】
以上の構成とする光源基板Ａによると、基板１の中心ＣにグランドＧを設定し、このグランドＧから基板１の外周１０に至るように、複数の配線部２が夫々独立した一筆書きの形態として配線されているため、配線同士の重なり部分がなく、極めて、簡単、且つ高密度で複数のＬＥＤ素子３Ａ〜３Ｄを配置することができ、これにより、照度ムラや発色ムラを抑制して高品質な照明光を実現できる。
【００２２】
また、配線部２が全て同じ形状に形成されているため、ＬＥＤ素子３Ａ〜３Ｄを夫々同数として配置することが容易である。
【００２３】
さらに、配線部２が渦巻腕状に湾曲形成されているため、配線部２の全長を基板１の半径以上にすることができ、これによって、より多くのＬＥＤ素子３Ａ〜３Ｄを配置することができる。
【００２４】
図２(ａ)〜(ｃ)は、他の例の光源基板Ａ’〜Ａ’’’における配線形態を示す概略平面図である。尚、ＬＥＤ素子３Ａ〜３Ｄ及び単位Ｓについては、図示を省略する。
【００２５】
図２(ａ)に示す光源基板Ａ’は、グランドＧから基板１の外周１０付近に至る道中を山形状に屈曲形成した配線部２とし、この配線部２を基板１の中心Ｃを軸とする回転対称形として配置した形態である。
【００２６】
図２(ａ)に示す光源基板Ａ’によっても、図１に示す光源基板Ａと同様に、基板１の中心ＣにグランドＧを設定し、このグランドＧから基板１の外周１０に至るように、複数の配線部２が夫々独立した一筆書きの形態として配線されているため、配線同士の重なり部分がなく、極めて、簡単、且つ高密度で複数のＬＥＤ素子３Ａ〜３Ｄを配置することができ、これにより、照度ムラや発色ムラを抑制して高品質な照明光を実現できる。
【００２７】
また、配線部２が全て同じ形状に形成され、且つ回転対称形として配置されているため、ＬＥＤ素子３Ａ〜３Ｄを夫々同数として配置することが容易である。
【００２８】
さらに、配線部２が山形状に屈曲形成されているため、配線部２の全長が基板１の半径以上にすることができ、これによって、より多くのＬＥＤ素子３Ａ〜３Ｄを配置することができる。
【００２９】
図２(ｂ)に示す光源基板Ａ’’は、グランドＧから基板１の外周１０付近に至る道中を波形状に曲げ形成した配線部２とし、この配線部２を基板１の中心Ｃを軸とする回転対称形として配置した形態である。
【００３０】
図２(ｂ)に示す光源基板Ａ’’によっても、図１に示す光源基板Ａと同様に、基板１の中心ＣにグランドＧを設定し、このグランドＧから基板１の外周１０に至るように、複数の配線部２が夫々独立した一筆書きの形態として配線されているため、配線同士の重なり部分がなく、極めて、簡単、且つ高密度で複数のＬＥＤ素子３Ａ〜３Ｄを配置することができ、これにより、照度ムラや発色ムラを抑制して高品質な照明光を実現できる。
【００３１】
また、配線部２が全て同じ形状に形成され、且つ回転対称形として配置されているため、ＬＥＤ素子３Ａ〜３Ｄを夫々同数として配置することが容易である。
【００３２】
さらに、配線部２が波形状に曲げ形成されているため、配線部２の全長が基板１の半径以上にすることができ、これによって、より多くのＬＥＤ素子３Ａ〜３Ｄを配置することができる。
【００３３】
図２(ｃ)に示す光源基板Ａ’’’は、グランドＧから基板１の外周１０付近に至る道中を直線状とし、この配線部２を基板１の中心Ｃを軸とする回転対称形として配置した形態である。
【００３４】
図２(ｃ)に示す光源基板Ａ’’’によっても、図１に示す光源基板Ａと同様に、基板１の中心ＣにグランドＧを設定し、このグランドＧから基板１の外周１０に至るように、複数の配線部２が夫々独立した一筆書きの形態として配線されているため、配線同士の重なり部分がなく、極めて、簡単、且つ高密度で複数のＬＥＤ素子３Ａ〜３Ｄを配置することができ、これにより、照度ムラや発色ムラを抑制して高品質な照明光を実現できる。
【００３５】
また、配線部２が全て同じ形状に形成され、且つ回転対称形として配置されているため、ＬＥＤ素子３Ａ〜３Ｄを夫々同数として配置することが容易である。
【００３６】
尚、ＬＥＤ素子３Ａ〜３Ｄは、全て同じ個数、同じ形状であることが好ましいが、本発明では、ＬＥＤ素子３Ａ〜３Ｄの個数や形状について限定するものではなく、複数の配線部２の一部、或いは全てにおいてＬＥＤ素子３Ａ〜３Ｄの個数を変えてもよいし、複数の配線部２の一部、或いは夫々が異なる形状であってもよい。
【００３７】
また、同一の配線部２上でのＬＥＤ素子３Ａ〜３Ｄの間隔や周方向で隣り合うＬＥＤ素子３Ａ〜３Ｄ同士の間隔は、配線部２の配線形態に応じて、光源基板Ａの全域で同じ明るさで発光できるように調整される。
【００３８】
また、ＬＥＤ素子３Ａ〜３Ｄの一つの単位Ｓ内の並び順は任意であり、例示した並び順に限定するものではない。
【００３９】
また、前述の各実施形態では、複数本の配線部２が、基板１の中心Ｃを軸とする回転対称形としているが、本発明では、複数本の配線部２の配置形態として回転対称形に限定するものではない。
【００４０】
また、複数本の配線部２の形状は、例示した形態に限定するものではなく、周方向で隣り合う各配線部２同士が接触したり重なり合ったりしない形状であればよい。
【００４１】
本発明は、例示した実施の形態に限定するものではなく、特許請求の範囲の各項に記載された内容から逸脱しない範囲の構成による実施が可能である。
【符号の説明】
【００４２】
Ａ：光源基板  
Ａ’： 光源基板
Ａ’’： 光源基板
Ａ’’’： 光源基板
Ｃ：中心
Ｇ：グランド
１：基板
１０：外周
２：配線部
２０：端部
２１：端部
３Ａ：ＬＥＤ素子
３Ｂ：ＬＥＤ素子
３Ｃ：ＬＥＤ素子
３Ｄ：ＬＥＤ素子
【図１】
2020009539.tif 000003
【図２】
2020009539.tif 000004